(57)【要約】      （修正有）【課題】小型化しても安価な方法で、豊かな低音域の再生を可能とするスピーカーボックスを提供する。【解決手段】スピーカーユニットの背面から放射された音は、第１室１５を通り第１ダクト１９に導かれ、第１ダクト１９を音が通過する時にダクトの断面積と長さに応じた周波数が共振を起こして低音域が増大される。第１ダクト出口２０から放射された音は、第２室分室穴２２を通り第２室分室２３を一周して再び第２室分室穴２２から第２室２７に進入する。第２室分室２３を追加したこの構造が従来と大きく違う所になる。第２室２７を一周した音は第２ダクト入口２４を通り第２ダクト２６に進入する。第２ダクト２６を音が通過する時にダクトの断面積と長さに応じた周波数が共振を起こして、低音域のみが再度増大され第２ダクト出口２８からスピーカーの外に音が放出される。【選択図】図１
0003196822.tif 000002
【実用新案登録請求の範囲】
【請求項１】
ダブルバスレフ型のスピーカーボックスにおいて、スピーカーを取り付ける第１室１５と、第１室１５に設けられた第１ダクト１９を介して繋がった第２室２７を形成し、第２室２７に設けられた第２ダクト２６を介して外部にスピーカーの音が放射されるように形成されたスピーカーボックス。
【請求項２】
第２室２７と隣り合わせの新たな部屋である第２室分室２３を設けて、お互いは第２室分室穴２２を介して空気の流通をするようにした事を特徴とする請求項１記載のスピーカーボックス。
【請求項３】
第１ダクト出口２０と第２ダクト入口２４を近接させ、この２つの空間に区画部材ｃ２１を設ける事を特徴とする請求項１記載のスピーカーボックス。
【考案の詳細な説明】
【技術分野】
【０００１】本考案は、ダブルバスレフ型のスピーカーボックスに関するものである。
【背景技術】
【０００２】従来のダブルバスレフ型の代表的な構造を図２に示す。スピーカーユニットから背面へ放射された音は第１ダクト１９を通過する時に低音域のみが増大され、更に第２ダクト２６を通過する時にも低音域のみが再度増大され第２ダクト出口２８からスピーカーの外に音が放出される。
【先行技術文献】
【特許文献】
【０００３】
【特許文献１】特開２００２−２９１０８２
【特許文献２】特開２００７−１６６５８９
【特許文献３】特開２００７−２３５２８２
【考案の概要】
【考案が解決しようとする課題】
【０００４】スピーカーを小型サイズにする要望は強くあり、図２の一般的な構造で小型サイズにすると内容積不足によりダブルバスレフとして機能しなくなり豊かな低音の再生が出来なくなる。小型サイズであっても豊かな低音の再生ができる新構造のスピーカーが課題となっている。
【問題を解決するための手段】
【０００５】本考案の小型ダブルバスレフ型構造を持つスピーカーボックスはスピーカーユニットが取り付けられた「第１室１５」と、第１室内にある「第１ダクト１９」で繋がった「第２室２７」と、第２室内と穴で繋がった「第２室分室２３」と、第２室内に設けられた「第２ダクト２６」を介してスピーカーユニットの音が外部に放射される様に構成する。従来と比べると音の通る経路の長さが十分長くなる事を特徴としている。
【０００６】更に第１ダクト出口２０と第２ダクト入口２４を近接させてその間に区画部材ｃ２１を設ける事を特徴としている。
【０００７】更に第２ダクト入口２４の隙間は、第２ダクトの断面積の半分以下として音の通過を制限する。
【０００８】
【考案の効果】
【０００９】一般的な小型ダブルバスレフ型は内容積が小さい為に空気の振動、伝達の制動が大きくなり低音域の改善は微小となる。しかし本考案による小型ダブルバスレフ型では６０Ｈｚの低域までほぼ音圧レベルが落ちない周波数特性が得られた。ここで同じサイズで作製した小型ダブルバスレフ型の「図２の一般的な場合」と「図１の本考案の場合」の音圧レベルを実測した時の周波数特性を示す。グラフは中高音を削除して低音部のみ抜粋して表示している。
0003196822.tif 000003
グラフ１の「図２の一般的な低域周波数特性」を見ると６０Ｈｚでは基準レベルより約１９ｄＢダウンとなり、グラフ２の本考案では６０Ｈｚでは約２ｄＢダウンとなった。従って図１の本考案により約１７ｄＢも周波数特性が改善される事になる。図１の本考案の場合は６０Ｈｚまでほぼフラットとなる非常に優秀な周波数特性が得られた。これにより実際の聴感上でも今迄に聞いた事が無いような重厚な重低音の量感が得られる事が可能となった。
【００１０】更に図１の本考案の場合は簡単な構造なので図２の従来と比較して大幅なコストアップ無しで大幅に低音増強が可能となる。コストの面で非常に有利となる。
【００１１】更に０００８項に示す「音の通過を制限する」事により第２ダクト２６に進入しようとする中高域成分の音を大幅に減衰させる事が出来る。この中高域成分が多いと音質を悪化させる原因となる。従ってこれにより音質向上が図れる。
【図面の簡単な説明】
【００１２】
【図１】本考案に係る実施例の側面図
【図２】一般的なダブルバスレフ型に係る実施例の側面図
【考案を実施する為の形態】
【００１３】図１はこの考案に係る実施例の側面図である。
【００１４】図１のスピーカーボックスは、前板１１、天板１２、後板１３、底板１４で形成された箱の形状をしている。
【００１５】スピーカーユニットから背面へ放射された音は第１室１５で反射しながら第１ダクト１９に進入していく。第１ダクト１９を音が通過する時にダクトの断面積と長さに応じた周波数が共振を起こして、低音域のみが増大される事になる。
【００１６】第１ダクト出口２０から放射された音は、第２室分室穴２２を通り第２室分室２３を一周して再び第２室分室穴２２から第２室２７に進入する。
【００１７】第２室２７を一周した音は第２ダクト入口２４を通り第２ダクト２６に進入する。第２ダクト２６を音が通過する時にダクトの断面積と長さに応じた周波数が共振を起こして、低音域のみが再度増大され第２ダクト出口２８からスピーカーの外に音が放出される事になる。
【００１８】
【符号の説明】
【００１９】１１前板
１２天板
１３後板
１４底板
１５第１室
１６スピーカーユニット取付穴
１７区画部材ａ
１８区画部材ｂ
１９第１ダクト
２０第１ダクト出口
２１区画部材ｃ
２２第２室分室穴
２３第２室分室
２４第２ダクト入口
２５区画部材ｄ
２６第２ダクト
２７第２室
２８第２ダクト出口
【図１】
0003196822.tif 000004
【図２】
0003196822.tif 000005
【手続補正書】
【提出日】平成27年1月16日(2015.1.16)
【手続補正１】
【補正対象書類名】実用新案登録請求の範囲
【補正対象項目名】全文
【補正方法】変更
【補正の内容】
【実用新案登録請求の範囲】
【請求項１】
ダブルバスレフ型のスピーカーボックスにおいて、スピーカーを取り付ける第１室１５と、第１室１５に設けられた第１ダクト１９を介して繋がった第２室２７を形成し、第２室２７に設けられた第２ダクト２６を介して外部にスピーカーの音が放射されるように形成されたスピーカーボックス。
【請求項２】
第２室２７と隣り合わせの新たな部屋である第２室分室２３を設けて、お互いは第２室分室穴２２を介して空気の流通をするようにした事を特徴とする請求項１記載のスピーカーボックス。
【請求項３】
第１ダクト出口２０と第２ダクト入口２４の空間に区画部材ｃ２１を設ける事を特徴とする請求項１記載のスピーカーボックス。